【手続補正書】
【提出日】平成28年1月28日(2016.1.28)
【手続補正１】
【補正対象書類名】特許請求の範囲
【補正対象項目名】全文
【補正方法】変更
【補正の内容】
【特許請求の範囲】
【請求項１】
第１の蛍光体層、および前記第１の蛍光体層の両面とそれぞれ接する一対の透明フィルムを含む積層構造と、
前記積層構造の端面から前記積層構造の周縁部に至るまでを一体に覆う封止層と、
前記封止層のうちの少なくとも前記積層構造の周縁部を覆う部分、をさらに覆う第２の蛍光体層と
を有する蛍光体シート。
【請求項２】
前記封止層と、前記第２の蛍光体層との間に光反射層を有する
請求項１記載の蛍光体シート。
【請求項３】
前記第１および第２の蛍光体層は、青色光の照射により白色光を発する
請求項１または請求項２に記載の蛍光体シート。
【請求項４】
前記第１の蛍光体層は、硫化物蛍光体を含み、
前記第２の蛍光体層は、ＹＡＧ（イットリウム−アルミニウム−ガーネット）系蛍光体を含む
請求項１から請求項３のいずれか１項に記載の蛍光体シート。
【請求項５】
前記第２の蛍光体層は、前記封止層のうち、前記一対の透明フィルムのいずれか一方を覆う部分のみに設けられている
請求項１から請求項４のいずれか１項に記載の蛍光体シート。
【請求項６】
前記一対の透明フィルムは、防湿性を有する樹脂からなる
請求項１から請求項５のいずれか１項に記載の蛍光体シート。
【請求項７】
前記封止層は、アルミニウムからなる
請求項１から請求項６のいずれか１項に記載の蛍光体シート。
【請求項８】
光源と、
互いに対向する第１および第２の主面と、前記第１の主面と前記第２の主面とを繋ぐと共に前記光源と対向する端面とを有する導光板と、
前記導光板の、前記第１の主面と対向する蛍光体シートと
を備え、
前記蛍光体シートは、
第１の蛍光体層、および前記第１の蛍光体層の両面とそれぞれ接する一対の透明フィルムを含む積層構造と、
前記積層構造の端面から前記積層構造の周縁部に至るまでを一体に覆う封止層と、
前記封止層のうちの少なくとも前記積層構造の周縁部を覆う部分、をさらに覆う第２の蛍光体層と
を有する
発光装置。
【請求項９】
前記光源は、青色光を発する発光ダイオードを含み、
前記第１および第２の蛍光体層は、前記光源からの青色光の照射により白色光を発する
請求項８記載の発光装置。
【請求項１０】
前記導光板の、前記第２の主面と対向する反射部材をさらに備える
請求項８または請求項９に記載の発光装置。
【請求項１１】
液晶パネルと、前記液晶パネルの背面と対向して配置された発光装置とを備え、
前記発光装置は、
光源と、
互いに対向する第１および第２の主面と、前記第１の主面と前記第２の主面とを繋ぐと共に前記光源と対向する端面とを有する導光板と、
前記導光板の、前記第１の主面と対向する蛍光体シートと
を備え、
前記蛍光体シートは、
第１の蛍光体層、および前記第１の蛍光体層の両面とそれぞれ接する一対の透明フィルムを含む積層構造と、
前記積層構造の端面から前記積層構造の周縁部に至るまでを一体に覆う封止層と、
前記封止層のうちの少なくとも前記積層構造の周縁部を覆う部分、をさらに覆う第２の蛍光体層と
を有する
表示装置。
【手続補正２】
【補正対象書類名】明細書
【補正対象項目名】００１３
【補正方法】変更
【補正の内容】
【００１３】
【図１】本開示における第１の実施の形態に係る蛍光体シートを含む発光装置の全体構成例を表す斜視図である。
【図２】図１に示した発光装置の要部の構成を表す断面図である。
【図３】図１に示した第１の実施の形態に係る発光装置の変形例を表す断面図である。
【図４】本開示における第２の実施の形態に係る発光装置の構成を表す断面図である。
【図５】本開示の第３の実施の形態に係る表示装置の外観を表す斜視図である。
【図６】図５に示した本体部を分解して表す斜視図である。
【図７】図６に示したパネルモジュールを分解して表す斜視図である。
【図８Ａ】本開示の表示装置を搭載した電子ブック（適用例１）の外観を表す斜視図である。
【図８Ｂ】本開示の表示装置を搭載した他の電子ブック（適用例１）の外観を表す斜視図である。
【図９】本開示の表示装置を搭載したスマートフォン（適用例２）の外観を表す斜視図である。
【図１０Ａ】本開示の表示装置を搭載したデジタルカメラ（適用例３）の前方からの外観を表す斜視図である。
【図１０Ｂ】本開示の表示装置を搭載したデジタルカメラ（適用例３）の後方からの外観を表す斜視図である。
【図１１】本開示の表示装置を搭載したノート型パーソナルコンピュータ（適用例４）の外観を表す斜視図である。
【図１２】本開示の表示装置を搭載したビデオカメラ（適用例５）の外観を表す斜視図である。
【図１３Ａ】本開示の表示装置を搭載した携帯電話機（適用例６）の閉じた状態の外観を表す正面図、左側面図、右側面図、上面図および下面図である。
【図１３Ｂ】本開示の表示装置を搭載した携帯電話機（適用例６）の開いた状態の外観を表す正面図および側面図である。
【図１４】本開示の発光装置を備えた第１の照明装置（適用例７）の外観を表す斜視図である。
【図１５】本開示の発光装置を備えた第２の照明装置（適用例８）の外観を表す斜視図である。
【図１６】本開示の発光装置を備えた第３の照明装置（適用例９）の外観を表す斜視図である。
【手続補正３】
【補正対象書類名】明細書
【補正対象項目名】００３９
【補正方法】変更
【補正の内容】
【００３９】
＜第２の実施の形態＞
［発光装置２の構成］
図４は、本技術の第２の実施の形態としての発光装置２における要部断面構成を表したものである。この発光装置２では、蛍光体シート１０が封止層１２と、第２の蛍光体層１５との間に光反射層１６を有している。この点を除き、他は上記第１の実施の形態の発光装置１と同様の構成を有する。光反射層１６は、例えば、アルミニウムや銀などの金属材料や白色樹脂などの高反射率の材料により構成される。
【手続補正４】
【補正対象書類名】明細書
【補正対象項目名】００４４
【補正方法】変更
【補正の内容】
【００４４】
前部筐体１２１は、液晶パネル１２２の前面周縁部を覆う枠状の金属部品である。液晶パネル１２２は、例えば、液晶セル１２２Ａと、ソース基板１２２Ｂと、これらを接続するＣＯＦ（Chip On Film）などの可撓性基板１２２Ｃとを有している。枠状部材８０は、液晶パネル１２２および光学シート５０を保持する枠状の樹脂部品である。後部筐体１２４は、液晶パネル１２２，枠状部材８０および発光装置１を収容する、鉄（Ｆｅ）等よりなる金属部品である。バランサー基板１２５は、発光装置１を制御するものであり、図７に示したように、後部筐体１２４の背面に実装されると共にバランサーカバー１２６により覆われている。タイミングコントローラ基板１２７もまた、後部筐体１２４の背面に実装されている。
【手続補正５】
【補正対象書類名】明細書
【補正対象項目名】００５４
【補正方法】変更
【補正の内容】
【００５４】
＜照明装置の適用例＞
図１４および図１５は、上記実施の形態の発光装置１，１Ａ，２が適用される卓上用の照明装置の外観を表したものである。この照明装置は、例えば、基台８４１に設けられた支柱８４２に、照明部８４３を取り付けたものであり、この照明部８４３は、上記第１および第２の実施の形態に係る発光装置１，１Ａ，２のいずれかにより構成されている。照明部８４３は、導光板３０を湾曲形状とすることにより、図１４に示した筒状、または図１５に示した曲面状など、任意の形状とすることが可能である。